(57)【要約】      （修正有）【課題】ＬＥＤ板のショートを防ぐことができ、使用上の安全性や耐久性が高まる水槽用の照明設備を被覆する照明蓋板装置を提供する。【解決手段】水槽の照明蓋板装置１０は、基板１１と、少なくとも１つのＬＥＤ板１２と、複数のコード１３と、防水グルー層と、プラグ１５を有し、該基板１１は、第一側面１１１及び第二側面１１２を備え、該第一側面１１１に少なくとも１つの第一凹部１１１１が形成され、該ＬＥＤ板１２は、基板１１の第一側面１１１の第一凹部１１１１に取り付けられ、コード１３は、ＬＥＤ板１２に電気接続される。該防水グルー層は、ＬＥＤ板１２を被覆するように、基板１１の第一側面１１１の第一凹部１１１１に設置され、該プラグ１５は、コード１３を介してＬＥＤ板１２に電気接続される。照明蓋板装置１０を水槽に取り付ける時に、水槽の湿気や水がＬＥＤ板１２にはねたりして悪影響を及ぼすことがなくなる。【選択図】図２
0003211086.tif 000002
【実用新案登録請求の範囲】
【請求項１】
第一側面及び第二側面を備え、該第一側面に少なくとも１つの第一凹部が形成される、基板と、
前記基板の第一側面の少なくとも１つの第一凹部に取り付けられる、少なくとも１つのＬＥＤ板と、
前記ＬＥＤ板に電気接続される、複数のコードと、
前記少なくとも１つのＬＥＤ板を被覆するように、基板の第一側面の少なくとも１つの第一凹部に設置される、防水グルー層と、
前記コードを介してＬＥＤ板に電気接続される、プラグ、を有することを特徴とする水槽の照明蓋板装置。
【請求項２】
前記基板に配線穴が形成され、
前記基板の第一側面に、第一凹部及び配線穴と連通する少なくとも１つの第二凹部が形成され、
前記複数のコードは、基板の第一側面の第二凹部に嵌設されると共に、配線穴から基板の外部へ延出し、
前記防水グルー層は、第二凹部に嵌設したコードを被覆するように、基板における第一側面の第二凹部に設置されることを特徴とする請求項１に記載の水槽の照明蓋板装置。
【請求項３】
前記基板の第一側面に、２つの第一凹部及び２つの第二凹部が形成され、そのうち、一方の第二凹部が２両方の第一凹部と連通すると共に、他方の第二凹部がそのうちの一方の第一凹部及び配線穴と連通し、
前記少なくとも１つのＬＥＤ板が２つであり、前記２つのＬＥＤ板はそれぞれ、２つの第一凹部に取り付けられ、
前記複数のコードはそれぞれ、２つのＬＥＤ板に電気接続するように、２つの第二凹部に嵌設され、
前記プラグは、一方のＬＥＤ板と電気接続するように、一方の第二凹部にあるコードに接続されることを特徴とする請求項２に記載の水槽の照明蓋板装置。
【請求項４】
前記基板の第一側面に、該基板の周縁まで延出する少なくとも１つの第一凹部が形成され、
前記コードは、前記少なくとも１つのＬＥＤ板に電気接続され、一端が基板から外部へ延出し、
さらに、リムを有し、該リムは、複数のコードを遮蔽するように、複数のボルトによる基板の周縁に設置されることを特徴とする請求項１に記載の水槽の照明蓋板装置。
【請求項５】
前記基板における第一側面及び第二側面を貫通するように投入穴が形成されることを特徴とする請求項１乃至４の何れか１項に記載の水槽の照明蓋板装置。
【請求項６】
本体及び掛け脚を備える、２つの掛け部材を有し、
前記本体の一側に２つの第一連接部が設けられると共に、他側に第一係合部が設けられ、該２つの第一連接部はそれぞれ、同一方向に延出して互いに平行する、細長状の凸部であり、また、その内部に貫通長穴が形成され、
前記掛け脚は、２つの第二連接部と、２つの湾曲部と、介在連接部を備え、該２つの第二連接部は、同一方向に延出して互いに平行するように設けられて、それぞれ摺動可能に本体における２つの第一連接部の貫通長穴に貫設され、該２つの湾曲部は、階段状を呈し、それぞれ２つの第一連接部の一端から延出され、該介在連接部は、湾曲部との間に連接され、
また、前記２つの掛け部材は、本体の第一係合部を介して基板の相対する両側に掛止されることを特徴とする請求項１乃至４の何れか１項に記載の水槽の照明蓋板装置。
【考案の詳細な説明】
【技術分野】
【０００１】
本考案は、特に水槽用の照明設備の蓋に関するものである。
【背景技術】
【０００２】
屋内用の水槽は、水生生物の飼育と鑑賞を目的として室内に設置するものであり、また、水槽用の照明は、室内の蛍光灯などの照明設備を用いて水槽に光を当てるものが殆どである。しかしながら、室内の照明設備は通常、天井などの高いところに装着されていることから、水槽を観賞し易くするために、水槽を通常に棚やテーブルなどに設置するので、照明設備からの光を直接に水槽に当てることができないため、水槽を鑑賞し難くなる。
【０００３】
図１１に示すように、既存の水槽の照明蓋板装置３０は、水槽本体４０に設置されることから、光を水槽に直接に当てることができるので、鑑賞者に対して水生生物を綺麗に見せることができる。
既存の水槽用照明設備における、水槽の照明蓋板装置３０は、ランプ３１と、本体３２と、カバー装置３３を備え、該本体３２の内部に、ランプ３１を収納するための収容空間３２１が形成され、該本体３２の底面に、収容空間３２１と連通する開口が形成され、この構成によれば、ランプ３１を開口を通して収容空間３２１に取り付けた後、カバー装置３３を、開口をカバーするように本体３２に取り付ける。
【先行技術文献】
【特許文献】
【０００４】
【特許文献１】特開平５−２１１８２９号公報
【考案の概要】
【考案が解決しようとする課題】
【０００５】
しかしながら、既存の水槽用照明設備において、水槽の照明蓋板装置３０を水槽４０に設置する場合、その照明設備のカバー３３が水槽本体４０に向かって設置されることから、水生生物の動きによる水を飛び散って照明設備のカバー３３にかかる虞があるので、水槽の照明蓋板装置３０に照明設備のカバー３３を設置しないと、ランプ３１に水がはねて壊れる問題があった。
【０００６】
また、既存の水槽用照明設備における照明設備のカバー３３は、水槽の照明蓋板装置３０の光が射出される一側に設置されていることから、光が水槽の照明蓋板装置３０を透過し、水槽本体４０に射入した光度が弱くなるので、水槽の照明蓋板装置３０を改良する必要があった。
【課題を解決するための手段】
【０００７】
本考案に係る水槽の照明蓋板装置は、
第一側面及び第二側面を備え、該第一側面に少なくとも１つの第一凹部が形成される、基板と、
前記基板の第一側面の少なくとも１つの第一凹部に取り付けられる、少なくとも１つのＬＥＤ板と、
前記ＬＥＤ板に電気接続される、複数のコードと、
前記少なくとも１つのＬＥＤ板を被覆するように、基板の第一側面の少なくとも１つの第一凹部に設置される、防水グルー層と、
前記コードを介してＬＥＤ板に電気接続される、プラグ、を有する。
【０００８】
かかる水槽の照明蓋板装置において、
前記基板に配線穴が形成され、
前記基板の第一側面に、第一凹部及び配線穴と連通する少なくとも１つの第二凹部が形成され、
前記複数のコードは、基板の第一側面の第二凹部に嵌設されると共に、配線穴から基板の外部へ延出し、
前記防水グルー層は、第二凹部に嵌設したコードを被覆するように、基板における第一側面の第二凹部に設置されることが好ましい。
【０００９】
かかる水槽の照明蓋板装置において、
前記基板の第一側面に、２つの第一凹部及び２つの第二凹部が形成され、そのうち、一方の第二凹部が２両方の第一凹部と連通すると共に、他方の第二凹部がそのうちの一方の第一凹部及び配線穴と連通し、
前記少なくとも１つのＬＥＤ板が２つであり、前記２つのＬＥＤ板はそれぞれ、２つの第一凹部に取り付けられ、
前記複数のコードはそれぞれ、２つのＬＥＤ板に電気接続するように、２つの第二凹部に嵌設され、
前記プラグは、一方のＬＥＤ板と電気接続するように、一方の第二凹部にあるコードに接続されることが好ましい。
【００１０】
かかる水槽の照明蓋板装置において、
前記基板の第一側面に、該基板の周縁まで延出する少なくとも１つの第一凹部が形成され、
前記コードは、前記少なくとも１つのＬＥＤ板に電気接続され、一端が基板から外部へ延出し、
さらに、リムを有し、該リムは、複数のコードを遮蔽するように、複数のボルトによる基板の周縁に設置されることが好ましい。
【００１１】
かかる水槽の照明蓋板装置において、
前記基板における第一側面及び第二側面を貫通するように投入穴が形成されることが好ましい。
【００１２】
かかる水槽の照明蓋板装置において、
本体及び掛け脚を備える、２つの掛け部材を有し、
前記本体の一側に２つの第一連接部が設けられると共に、他側に第一係合部が設けられ、該２つの第一連接部はそれぞれ、同一方向に延出して互いに平行する、細長状の凸部であり、また、その内部に貫通長穴が形成され、
前記掛け脚は、２つの第二連接部と、２つの湾曲部と、介在連接部を備え、該２つの第二連接部は、同一方向に延出して互いに平行するように設けられて、それぞれ摺動可能に本体における２つの第一連接部の貫通長穴に貫設され、該２つの湾曲部は、階段状を呈し、それぞれ２つの第一連接部の一端から延出され、該介在連接部は、湾曲部との間に連接され、
また、前記２つの掛け部材は、本体の第一係合部を介して基板の相対する両側に掛止されることが好ましい。
【考案の効果】
【００１３】
本考案に係る水槽の照明蓋板装置においては、ＬＥＤ板が基板の第一凹部に取り付けられると共に、コードが、基板の第一側面の第二凹部に嵌設され、配線穴を介して基板の外部に延出し、防水グルー層は、第一凹部に取り付けたＬＥＤ板及び、第二凹部に嵌設したコードを被覆するように、基板の第一側面に設置されることから、照明蓋板装置を水槽に取り付ける時に、水槽の湿気や水がＬＥＤ板にはねたりして悪影響を及ぼすことはないので、ＬＥＤ板のショートを防ぐことができ、使用上に安全性や耐久性が高まる。
【００１４】
それらのＬＥＤ板の光射出面には、照明設備のカバーが設置されていないことから、ＬＥＤ板から射出した光の強度が低下することはなく、水槽を明るく照らすことができるので、鑑賞者が水槽の水生生物をより楽しむことができる。
【図面の簡単な説明】
【００１５】
【図１】本考案に係る水槽の照明蓋板装置の第一実施例の正面図である。
【図２】本考案に係る水槽の照明蓋板装置の第一実施例の斜視図である。
【図３】本考案に係る水槽の照明蓋板装置の第一実施例の断面図である。
【図４】本考案に係る水槽の照明蓋板装置の製造プロセスを示す製造方法の説明図である。
【図５】本考案に係る水槽の照明蓋板装置の製造プロセスを示す製造方法の説明図である。
【図６】本考案に係る水槽の照明蓋板装置の製造プロセスを示す製造方法の説明図である。
【図７】本考案に係る水槽の照明蓋板装置の第二実施例の正面図である。
【図８】本考案に係る水槽の照明蓋板装置の第三実施例の正面図である。
【図９】本考案に係る水槽の照明蓋板装置の第四実施例の斜視図である。
【図１０】本考案に係る水槽の照明蓋板装置の第四実施例における使用状態を示す断面図である。
【図１１】既存の水槽の照明蓋板装置の使用状態をを示す側面断面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図３に示すように、本考案に係る水槽の照明蓋板装置１０の第一実施例は、基板１１と、少なくとも１つのＬＥＤ（Ｌｉｇｈｔ  ｅｍｉｔｔｉｎｇ  ｄｉｏｄｅ；  ＬＥＤ）板１２と、複数のコード１３と、防水グルー層１４と、プラグ１５を有し、そのうち、ＬＥＤ板１２は、プレートに設けられる発光ダイオード（Ｌｉｇｈｔ  ｅｍｉｔｔｉｎｇ  ｄｉｏｄｅ；  ＬＥＤ）により照明することができる電子部品である。
【００１８】
前記基板１１は、反対する両側に第一側面１１１及び第二側面１１２が設けられ、該第一側面１１１に少なくとも１つの第一凹部１１１１が形成され、一方、前記少なくとも１つのＬＥＤ板１２は、基板１１の第一側面１１１の少なくとも１つの第一凹部１１１１に取り付けられる。
【００１９】
前記防水グルー層１４は、前記少なくとも１つのＬＥＤ板１２を被覆するように、基板１１の第一側面１１１の少なくとも１つの第一凹部１１１１に設置され、前記プラグ１５は、コード１３によりそれらのＬＥＤ板１２に電気接続される。
【００２０】
本考案における１０を製造する場合は、まず基板１１に少なくとも１つの第一側面１１１を形成し、該第一側面１１１に少なくとも１つのＬＥＤ板１２を取り付け、防水グルー層１４を少なくとも１つのＬＥＤ板１２を被覆するように第一側面１１１に設置する。
尚、その水槽の照明蓋板装置１０を水槽２０に取り付ける場合は、基板１１の第一側面１１１を水槽２０に向かって取り付けることから、少なくとも１つのＬＥＤ板１２が水槽２０に向って光を照射することができると共に、前記少なくとも１つの水槽２０は、防水グルー層１４により被覆されることから、水槽２０の湿気及び水が直接にＬＥＤ板１２にかかることによる影響はないため、ＬＥＤ板１２のショートを防ぐことができ、使用上の安全性及び耐久性が高まる。
さらに、前記ＬＥＤ板１２の光射出面に照明設備のカバーが設置されていないことから、ＬＥＤ板１２から射出した光の強度が弱くならなく、水槽２０を明るく照らすことができるので、鑑賞者が水槽の水生生物の鑑賞をより楽しめる。
【００２１】
本実施例においては、その水槽の照明蓋板装置１０の基板１１に配線穴１１３が形成され、その基板１１の第一側面１１１に、第一凹部１１１１及び配線穴１１３と連通する少なくとも１つの第二凹部１１１２が形成され、該コード１３が、基板１１の第一側面１１１の第二凹部１１１２に嵌設されると共に、配線穴１１３を介して基板１１から外部に延出し、前記防水グルー層１４は、第二凹部１１１２に嵌設したコード１３を被覆するように、基板１１における第一側面１１１の第二凹部１１１２に設置される。
【００２２】
図４乃至図６に示すように、前記水槽の照明蓋板装置１０の製造方法は、以下のプロセスを有する。
図４に示すように、第一側面１１１及び第二側面１１２を備える基板１１を用意する。
図５に示すように、基板１１の第一側面１１１に少なくとも１つの第一凹部１１１１を形成する。尚、本実施例においては、基板１１に配線穴１１３を形成し、基板１１の第一側面１１１に少なくとも１つの第二凹部１１１２を形成し、該少なくとも１つの第二凹部１１１２が少なくとも１つの第一凹部１１１１及び配線穴１１３と連通するように形成する。
【００２３】
図６に示すように、基板１１の第一側面１１１の少なくとも１つの第一凹部１１１１に少なくとも１つのＬＥＤ板１２が取り付けられ、複数のコード１３が該少なくとも１つのＬＥＤ板１２に電気接続され、そのうち、それらのコード１３は、基板１１から延出してプラグ１５に接続される。尚、本実施例においては、複数のコード１３が、基板１１の第一側面１１１の少なくとも１つの第二凹部１１１２に嵌設されて配線穴１１３を介して基板１１から外部に延出する。
【００２４】
前記防水グルー層１４は、少なくとも１つのＬＥＤ板１２を被覆するように、基板１１の第一側面１１１の少なくとも１つの第一凹部１１１１に設置される。尚、本実施例においては、防水グルー層１４が、第二凹部１１１２に嵌設した複数のコード１３を被覆するように、基板１１の第一側面１１１の第二凹部１１１２に設置される。
【００２５】
図２に示すように、前記基板１１にはさらに投入穴１１４が形成され、該投入穴１１４は、基板１１の第一側面１１１及び第二側面１１２を貫通するように形成され、これにより、餌が投入穴１１４を通って水槽に投入されることにより水生生物を飼育できることから、わざわざ水槽の照明蓋板装置１０を開けて取り外す必要はない。
【００２６】
本実施例においてはさらに、その基板１１の第一側面１１１の周縁に掛け凹部１１５が形成され、図３に示すように、その掛け凹部１１５を有すれば、水槽の照明蓋板装置１０が強固に水槽２０に組み合わされ、すなわち、水槽２０の開口周縁が基板１１の掛け凹部１１５に嵌め込まれてしっかりと係合されることから、水槽の照明蓋板装置１０と水槽２０とを固定することができるので、ずれたり移動したりすることはない。
【００２７】
図７に示すように、本考案に係る水槽の照明蓋板装置１０の第二実施例においては、その基板１１の第一側面１１１に、２つの第一凹部１１１１及び２つの第二凹部１１１２が形成され、そのうち、一方の第二凹部１１１２が両方の第一凹部１１１１と連通すると共に、他方の第二凹部１１１２がそのうちの一方の第一凹部１１１１及び配線穴１１３と連通し、２つのＬＥＤ板１２がそれぞれ、２つの第一凹部１１１１に取り付けられ、複数のコード１３がそれぞれ、２つのＬＥＤ板１２と電気接続するように、２つの第二凹部１１１２に嵌設され、プラグ１５が、一方のＬＥＤ板１２と電気接続するように、一方の第二凹部１１１２にあるコード１３に接続される。
【００２８】
図８に示すように、本考案に係る水槽の照明蓋板装置１０の第三実施例においては、基板１１と、少なくとも１つのＬＥＤ板１２と、複数のコード１３と、防水グルー層１４と、プラグ１５と、リム１６を有する。
【００２９】
前記基板１１は、第一側面１１１及び第二側面１１２を備え、該第一側面１１１に、基板１１の一側の周縁まで延設する、少なくとも１つの第一凹部１１１１が形成され、前記少なくとも１つのＬＥＤ板１２は、基板１１の第一側面１１１の少なくとも１つの第一凹部１１１１に取り付けられ、前記コード１３は、少なくとも１つのＬＥＤ板１２と電気接続され、一端が基板１１から外部に延出し、前記防水グルー層１４は、少なくとも１つのＬＥＤ板１２を被覆するように、基板１１の第一側面１１１の少なくとも１つの第一凹部１１１１に設置され、前記プラグ１５は、コード１３を介して該少なくとも１つのＬＥＤ板１２と電気接続され、前記リム１６は、それらのコード１３を遮蔽するように、基板１１の一側の周縁に設置される。尚、本実施例においては、前記リム１６が、複数のボルト１６１により基板１１に固定される。
【００３０】
図９及び図１０に示すように、その水槽の照明蓋板装置１０はさらに、２つの掛け部材１７を有し、該各掛け部材１７は、本体１７１及び掛け脚１７２を備え、該本体１７１における、一側に２つの第一連接部１７１１が設けられると共に、他側に第一係合部１７１２が設けられ、該２つの第一連接部１７１１はそれぞれ、同一方向に延出して互いに平行する、細長状の凸部であり、その内部に貫通長穴（図示せず）が形成され、前記２つの掛け部材１７は、本体１７１の第一係合部１７１２を介して基板１１の相対する両側に掛止される。
【００３１】
前記掛け脚１７２は、２つの第二連接部１７２１と、２つの湾曲部１７２２と、介在連接部１７２３を備え、そのうち、その２つの第二連接部１７２１は、同一方向に延出して互いに平行するように設けられ、それぞれ摺動可能に本体１７１における２つの第一連接部１７１１の貫通長穴に貫設され、該２つの湾曲部１７２２は、階段状を呈し、それぞれ２つの第一連接部１７１１の一端から延出し、該介在連接部１７２３は、湾曲部１７２２との間に連接される。
【００３２】
図１０に示すように、その水槽の照明蓋板装置１０の基板１１の相対する両側にそれぞれ掛け部材１７が設置されることから、水槽の照明蓋板装置１０を水槽２０に掛止することができ、また、該掛け部材１７における掛け脚１７２は、本体１７１に対して摺動することができるので、水槽２０の開口が水槽の照明蓋板装置１０の幅よりも大きい場合、その水槽の照明蓋板装置１０は、掛け部材１７の掛け脚１７２を本体１７１に対して摺動させて延出させることによって、掛け脚１７２の湾曲部１７２２を介して水槽２０の開口周縁に掛止することができる。すなわち、水槽２０の開口の寸法が異なっていても、掛け部材１７の掛け脚１７２を調整することにより、水槽の照明蓋板装置１０を水槽２０の開口周縁に合わせて掛止させることができるので、使用上非常に便利である。
【符号の説明】
【００３３】
１０ 照明蓋板装置
１１ 基板
１１１ 第一側面
１１１１ 第一凹部
１１１２ 第二凹部
１１２ 第二側面
１１３ 配線穴
１１４ 投入穴
１１５ 掛け凹部
１２ ＬＥＤ板
１３ コード
１４ 防水グルー層
１５ プラグ
１６ リム
１６１ ボルト
１７ 掛け部材
１７１ 本体
１７１１ 第一連接部
１７１２ 第一係合部
１７２ 掛け脚
１７２１ 第二連接部
１７２２ 湾曲部
１７２３ 介在連接部
２０ 水槽
３０ 照明蓋板装置
３１ ランプ
３２ 本体
３２１ 収容空間
３３ 照明設備のカバー
４０ 水槽本体
【図１】
0003211086.tif 000003
【図２】
0003211086.tif 000004
【図３】
0003211086.tif 000005
【図４】
0003211086.tif 000006
【図５】
0003211086.tif 000007
【図６】
0003211086.tif 000008
【図７】
0003211086.tif 000009
【図８】
0003211086.tif 000010
【図９】
0003211086.tif 000011
【図１０】
0003211086.tif 000012
【図１１】
0003211086.tif 000013